(57)【要約】【課題】電池交換が簡単な防爆型秤を提供する。【解決手段】表示器６０の取付け部材４０は、表示器６０の背面に接する当接板４１を備え、表示器６０は、背面に防爆構造の電池ボックス６７を備え、表示器６０の背面及び当接板４１は、２以上の異なる箇所で相互に係合する複数の係合手段を有し、一つの係合手段６６は、当接板４１に押圧力を与えて表示器６０の背面と当接板４１との相対移動を阻止するとともに、押圧力が弱まれば相対移動を許容する係合を行い、その他の係合手段４３，４４、６２、６３は、表示器６０の背面と当接板４１とが一方向に相対移動したときに係合し、反対方向に相対移動したときに解除される係合を行う、ことを特徴とする。この防爆型秤は、当接板４１に対する押圧力を緩めて表示器６０と当接板４１とを相対移動させれば、表示器４１と当接板４１との係合を解除することができるので、表示器６０の取り付け、取り外しが簡単である。【選択図】図５
2012013467.tif 000002
【特許請求の範囲】
【請求項１】
載荷台上の被計量物の重量を表示器に表示する防爆型秤であって、
前記表示器を取り付ける取付け部材が、前記表示器の背面に接する当接板を備え、
前記表示器は、背面に、防爆構造の電池ボックスを備え、
前記表示器の背面及び当接板は、２以上の異なる箇所で相互に係合する複数の係合手段を有し、
一つの係合手段は、前記当接板に押圧力を与えて前記表示器の背面と前記当接板との相対移動を阻止するとともに、前記押圧力が弱まれば前記相対移動を許容する係合を行い、
その他の係合手段は、前記表示器の背面と前記当接板とが一方向に相対移動したときに係合し、反対方向に相対移動したときに解除される係合を行う、
ことを特徴とする防爆型秤。
【請求項２】
請求項１に記載の防爆型秤であって、
前記当接板は、
前記一つの係合手段を構成するために、横方向の辺に設けられたＶ字形状の切欠きと、該切欠きのＶ字形状の底部から下方に延びる溝とを有し、
前記その他の係合手段を構成するために、円形の貫通孔と、該貫通孔の円の底部から下方に延びるＵ字状の溝とを有し、
前記表示器の背面は、
前記一つの係合手段を構成するために、前記切欠きの位置に対応させて設けられた螺子孔を有し、
前記その他の係合手段を構成するために、前記貫通孔の位置に対応させて設けられた第１の拡大頭部を備える突起物を有し、
前記螺子孔に第２の拡大頭部を備える螺子を螺合して前記当接板に押圧力が与えられることを特徴とする防爆型秤。
【請求項３】
請求項２に記載の防爆型秤であって、
前記切欠きの底部から延びる溝の幅が、前記螺子の軸部の径よりも大きく、且つ、前記第２の拡大頭部の径よりも小さく、
前記円形の貫通孔の径が、前記第１の拡大頭部の径よりも大きく、前記貫通孔の円の底部から延びるＵ字状の溝の幅が、前記突起物の径よりも大きく、且つ、前記第１の拡大頭部の径よりも小さいことを特徴とする防爆型秤。
【請求項４】
請求項１に記載の防爆型秤であって、前記当接板は、前記表示器の側に突出した突起を有し、前記当接板に押圧力を与えた時、前記突起が支点になって前記当接板が弾性変形することを特徴とする防爆型秤。
【発明の詳細な説明】
【技術分野】
【０００１】
本発明は、防爆構造を有する秤に関し、その電池交換を容易にしたものである。
【背景技術】
【０００２】
爆発性雰囲気の生じる可能性がある場所（危険場所）で使用する電気機器は、厚生労働省が定めた防爆構造基準や国際基準に準拠した技術基準に適合していることが求められる。
こうした危険場所で使用する電気機器には、下記特許文献１に記載されているように、データの送受信を赤外線通信で行うなど、火花の発生を避ける対策が採られている。
危険場所で使用する防爆型秤の場合、電線を通じて外部から給電すると、ショートによる火花の危険性を伴うため、通常、防爆構造の電池ボックスに電池を収納し、これを電源として用いている。
【先行技術文献】
【特許文献】
【０００３】
【特許文献１】特開２００５−２２８２２１公報
【発明の概要】
【発明が解決しようとする課題】
【０００４】
しかし、電池は消耗し、いずれは新しい電池と交換しなければならないが、電池交換時にも火花の生じる危険性があるため、従来は、防爆型秤全体を非危険場所に持ち出し、そこで電池交換を行った後、防爆型秤を再び危険場所に持ち込んでいる。
この電池交換作業は、防爆型秤が軽量であれば苦にならないが、台秤のような大型で重い秤では、大きな負担になる。
また、防爆型秤から電池ボックスを取り外し、非危険場所に持ち出して電池交換を行うことも行われているが、この場合、構造が複雑化し、高コストになりやすい。
本発明は、こうした事情を考慮して創案したものであり、電池交換が簡単な防爆型秤を提供することを目的としている。
【課題を解決するための手段】
【０００５】
本発明は、載荷台上の被計量物の重量を表示器に表示する防爆型秤であって、
表示器を取り付ける取付け部材が、表示器の背面に接する当接板を備え、
表示器は、背面に、防爆構造の電池ボックスを備え、
表示器の背面及び当接板は、２以上の異なる箇所で相互に係合する複数の係合手段を有し、
一つの係合手段は、当接板に押圧力を与えて表示器の背面と当接板との相対移動を阻止するとともに、押圧力が弱まれば相対移動を許容する係合を行い、
その他の係合手段は、表示器の背面と当接板とが一方向に相対移動したときに係合し、反対方向に相対移動したときに解除される係合を行う、
ことを特徴とする。
この防爆型秤は、当接板に対する押圧力を緩めて表示器と当接板とを相対移動させれば、表示器と当接板との係合を解除することができるので、表示器の取り付け、取り外しが簡単である。防爆型秤の電池を交換するときは、表示器のみを防爆型秤から外して非危険場所で電池ボックスの電池を交換し、その後に、表示器を防爆型秤に取り付けることができる。
【０００６】
また、本発明の防爆型秤では、当接板は、
一つの係合手段を構成するために、横方向の辺に設けられたＶ字形状の切欠きと、該切欠きのＶ字形状の底部から下方に延びる溝とを有し、
その他の係合手段を構成するために、円形の貫通孔と、該貫通孔の円の底部から下方に延びるＵ字状の溝とを有し、
表示器の背面は、
一つの係合手段を構成するために、切欠きの位置に対応させて設けられた螺子孔を有し、
その他の係合手段を構成するために、貫通孔の位置に対応させて設けられた第１の拡大頭部を備える突起物を有し、
螺子孔に第２の拡大頭部を備える螺子を螺合して当接板に押圧力が与えられることを特徴とする。
こうした構成により、当接板に対して押圧力を加えていれば、全ての係合手段が係合状態を保つので、表示器と当接板との安定した係合が得られる。また、当接板に対する押圧力を弱めて表示器と当接板との相対移動を可能にすれば、全ての係合手段の係合が解除されるので、表示器を容易に取り外すことができる。
【０００７】
また、本発明の防爆型秤では、切欠きの底部から延びる溝の幅が、螺子の軸部の径よりも大きく、且つ、第２の拡大頭部の径よりも小さく、円形の貫通孔の径が、第１の拡大頭部の径よりも大きく、貫通孔の円の底部から延びるＵ字状の溝の幅が、突起物の径よりも大きく、且つ、第１の拡大頭部の径よりも小さいことを特徴とする。
こうした条件を満たすことにより、当接板に対する押圧力を緩めて表示器と当接板との係合を解除することが可能になる。
【０００８】
また、本発明の防爆型秤では、当接板は、表示器の側に突出した突起を有し、当接板に押圧力を与えた時、突起が支点になって当接板が弾性変形することを特徴とする。
当接板にバネ弾性の反発力が生じるので、螺子の緩みが防止できる、
【発明の効果】
【０００９】
本発明の防爆型秤は、表示器を簡単に取り付けたり、取り外したりできるため、防爆型秤の電池交換が必要なときには、表示器のみを防爆型秤から外して非危険場所で電池ボックスの電池を交換することができる。
【図面の簡単な説明】
【００１０】
【図１】本発明の実施形態に係る防爆型秤の外形図
【図２】図１の防爆型秤を別な角度から見た図
【図３】図１の防爆型秤のブロック図
【図４】図１の防爆型秤における表示器の取り付け構造を示す平面図
【図５】図４の表示器取り付け構造の分解斜視図
【図６】図４の表示器取り付け構造での動作変化を説明する図
【図７】図４の表示器取り付け構造の断面図
【図８】表示器での電池交換の様子を示す図
【発明を実施するための形態】
【００１１】
図１及び図２は、本発明の実施形態に係る防爆型秤を示している。この秤は、基台２０の上に荷重検出部（不図示）を介して載荷台（計量皿）２１を載せ、載荷台２１から延出した基台２０の部分に支柱２２を立設し、この支柱２２上に、取付け部材４０を介して、表示器６０を取り付けている。
図３は、この防爆型秤のブロック図を示している。重量測定器５０は、荷重検出部であるロードセル５１と、ロードセル５１から出力されるアナログ信号をデジタル信号に変換するＡＤ変換部５２とを有し、表示器６０は、デジタル化された信号を用いて表示のための信号処理を行うＤＳＰ部６１と、表示器６０及び重量測定器５０の電源となる電池を保持する電池ホルダ６７と、赤外線による通信で計量データを外部出力する赤外線通信部６８とを有している。重量測定器５０と表示器６０との間は、支柱２２内に配線された４芯シールド線５３で接続されている。
【００１２】
図４は、表示器６０が取付け部材４０に取り付けられた状態を示し、図５は、表示器６０と取付け部材４０とが分離された状態を示している。取付け部材４０は、表示器６０の裏面に当接する横長形状の当接板４１を有している。この当接板４１には、上辺にＶ字形状の切欠き４２が形成されており、また、切欠き４２の位置を頂点とする二等辺三角形の等角の位置に二つの貫通孔４３、４４が形成されている。また、切欠き４２から下方に下った、前記二等辺三角形の対称軸線上に、表示器６０の側に突出した突起４５が設けられている。
Ｖ字形状の切欠き４２は、図６（ａ）に示すように、Ｖ字形状の底部から下方に延びる溝４６を有している。また、貫通孔４３、４４は、大径の円と、その円の底部から下方に延びるＵ字状の溝４７を有している。
【００１３】
一方、表示器６０は、その裏面に防爆構造の電池ボックス６７を具備し、また、貫通孔４３、４４に対応する位置に突起物６２、６３を有し、切欠き４２に対応する位置に螺子孔６４を有している。図７の断面図に示すように、突起物６２、６３は、頭部が拡大された螺子６２の軸部分に円筒リング６５を嵌め、この螺子６２を、円筒リング６５が露出するように表示器６０の螺子孔に捩じ込んで形成されている。
また、表示器６０の螺子孔６４には、拡大頭部を有する蝶螺子６６が螺合される。
当接板４１のＶ字形状切欠き４２に連通する溝４６の幅は、蝶螺子６６の軸部の径よりも大きく、蝶螺子６６の拡大頭部の径よりも小さい。また、貫通孔４３、４４の大径円の径は、突起物６２、６３の拡大頭部の径より大きく、大径円の底部から下方に延びるＵ字状の溝４７の幅は、突起物６２、６３の円筒リング６５の径よりも大きく、突起物６２、６３の拡大頭部の径よりも小さい。
【００１４】
取付け部材４０の当接板４１に表示器６０を取り付けるときは、図６（ａ）に示すように、表示器６０の突起物６２、６３の拡大頭部を貫通孔４３、４４の大径円に差し込み、次に、表示器６０を押し下げて、図６（ｂ）に示すように、突起物６２、６３の円筒リング６５部分を貫通孔４３、４４のＵ字状溝４７の箇所に移動させる。（このように、表示器６０の突起物６２、６３と当接板４１の貫通孔４３、４４との係合は、当接板４１と表示器６０との相対移動により係合または解除されるものであり、請求項１で言う「その他の係合手段」に相当している。）
突起物６２、６３が貫通孔４３、４４のＵ字状溝４７の位置に移動すると、表示器６０の螺子孔６４は、切欠き４２に連通する溝４６の位置に来る。この螺子孔６４に蝶螺子６６を螺合し、蝶螺子６６を締め付けて、蝶螺子６６の拡大頭部と表示器６０との間に当接板４１をしっかりと固定する。（この螺子孔６４と蝶螺子６６との係合は、請求項１で言う「一つの係合手段」に相当し、この係合により、当接板４１と表示器６０との相対移動が阻止され、それにより「その他の係合手段」の係合関係も維持される。）
このとき、図７に示すように、当接板４１の支点４５が表示器６０の裏面に接触し、そのため、螺子孔６４の位置では、表示器６０と当接板４１との間に多少の間隔が開くことになるが、蝶螺子６６の締め付けにより、当接板４１が弾性変形して、この間隔が狭まる。
当接板４１の弾性変形で生じたバネ力は、蝶螺子６６の緩みを防止する。
【００１５】
一方、取付け部材４０の当接板４１から表示器６０を取り外すときは、表示器６０が当接板４１に対して移動できる状態になるまで蝶螺子６６の締め付けを緩める。表示器６０が移動可能になれば、図６（ｂ）の状態から表示器６０を持ち上げて図６（ａ）の状態に移し、突起物６２、６３を貫通孔４３、４４から抜くようにして表示器６０を取付け部材４０から取り外す。
【００１６】
図８は、防爆型秤から取り外した表示器６０を非危険場所に運んで電池交換を行う状況を示している。防爆構造の電池ボックスの蓋７０は、ネジ止めされているため、このネジ７１を外し、蓋７０を取り除いて電池７２を交換する。
このように、この防爆型秤では、蝶螺子６６により当接板４１に加えている押圧力を緩めれば、後は、当接板４１に対して表示器６０をスライドさせて当接板４１と表示器６０との係合を解除することができる。従って、表示器６０の取り外しや取り付けが簡単にでき、電池交換が苦にならない。
なお、ここで示した構成は、本発明の一例であり、本発明は、それだけに限定されるものではない。
【産業上の利用可能性】
【００１７】
本発明の防爆型秤は、電池交換が簡単であり、各種の爆発性雰囲気の中でも安全に使用することができる。
【符号の説明】
【００１８】
２０    基台
２１    載荷台
２２    支柱
４０    取付け部材
４１    当接板
４２    切欠き
４３    貫通孔
４４    貫通孔
４５    突起
４６    溝
４７    溝
５０    重量測定器
５１    ロードセル
５２    ＡＤ変換部
５３    ４芯シールド線
６０    表示器
６１    ＤＳＰ部
６２    突起物
６３    突起物
６４    螺子孔
６５    円筒リング
６６    蝶螺子
６７    電池ホルダ
６８    赤外線通信部
７０    蓋
７１    ネジ
７２    電池
【図１】
2012013467.tif 000003
【図２】
2012013467.tif 000004
【図３】
2012013467.tif 000005
【図４】
2012013467.tif 000006
【図５】
2012013467.tif 000007
【図６】
2012013467.tif 000008
【図７】
2012013467.tif 000009
【図８】
2012013467.tif 000010